(57)【特許請求の範囲】
【請求項１】
可撓性のある合成樹脂で形成された開口を有する外容器と、同外容器と共有開口するよう前記外容器の内部に設けられ、可撓性のある材料で形成された内容器と、前記外容器および内容器の共有開口を閉塞でき、外容器に着脱可能に設けられた蓋体と、前記内容器の内容物を蓋体を介して外部に吐出する吐出口とで構成し、外容器と内容器とを分離可能に構成してなり、前記内容器内において２剤式染毛剤を混合して用いる吐出口付き二重容器であって、
前記外容器の開口端面に支持されるフランジを前記内容器の開口端に設けるとともに、前記内容器の内面を支持する取付筒を前記蓋体に設けてなることを特徴とする吐出口付き二重容器。
【請求項２】
前記外容器を前記蓋体に対して螺合関係により着脱可能に構成した請求項１に記載の吐出口付き二重容器。
【請求項３】
前記外容器と内容器との間に空間部を形成し、前記外容器の肉厚を０．６から１．５ｍｍに形成するとともに、内容器の肉厚を０．１から０．５ｍｍに形成した請求項１または請求項２に記載の吐出口付き二重容器。
【請求項４】
前記取付筒の先端面が、同取付筒の外周側へ向かうにしたがって同取付筒の基端方向へ傾斜してなる請求項１から請求項３のいずれか一項に記載の吐出口付き二重容器。
【発明の詳細な説明】
【０００１】
【発明の属する技術分野】
この発明は、例えば染毛剤等を毛髪に吐出するための櫛付き二重容器として用いられる吐出口付き二重容器に関するものである。
【０００２】
【従来の技術】
従来より、この種の吐出口付き二重容器としては、特開平１０−１６５２２２号公報に開示された剤塗布用具が知られている。
【０００３】
この従来構成においては、内容器および外容器がそれぞれ可撓性のある合成樹脂で形成され、それらが共有開口するように一体形成されている。また、その共有開口を閉塞するよう硬質の合成樹脂で形成された蓋体が設けられており、同蓋体には内容器からその内容物を外部に吐出する吐出口が設けられている。
【０００４】
そして、前記外容器を押圧すれば外容器の内周面に密接されている内容器が押圧される。その結果、内容器が縮められて、その内容物が吐出口を通して外部に吐出される。
【０００５】
【発明が解決しようとする課題】
ところが、前記従来の吐出口付き二重容器では、内容器と外容器とが一体形成されている。このため、その使用により内容器の内容物が無くなると、内容器に内容物が充填された新しいものを外容器とともに交換しなければならず、外容器または外容器と内容器とを再利用できないという問題があった。
【０００６】
この発明は、上記のような従来技術に存在する問題点に着目してなされたものである。その目的とするところは、内容器の内容物を容易に吐出できるとともに、少なくとも外容器を再利用することができる吐出口付き二重容器を提供することにある。
【０００７】
【課題を解決するための手段】
上記の目的を達成するために、請求項１に記載の発明の吐出口付き二重容器は、可撓性のある合成樹脂で形成された開口を有する外容器と、同外容器と共有開口するよう前記外容器の内部に設けられ、可撓性のある材料で形成された内容器と、前記外容器および内容器の共有開口を閉塞でき、外容器に着脱可能に設けられた蓋体と、前記内容器の内容物を蓋体を介して外部に吐出する吐出口とで構成し、外容器と内容器とを分離可能に構成してなり、前記内容器内において２剤式染毛剤を混合して用いる吐出口付き二重容器であって、前記外容器の開口端面に支持されるフランジを前記内容器の開口端に設けるとともに、前記内容器の内面を支持する取付筒を前記蓋体に設けてなることを特徴とするものである。
【０００８】
請求項２に記載の発明の吐出口付き二重容器は、請求項１に記載の発明において、前記外容器を前記蓋体に対して螺合関係により着脱可能に構成したものである。
【０００９】
請求項３に記載の発明の吐出口付き二重容器は、請求項１または請求項２に記載の発明において、前記外容器と内容器との間に空間部を形成し、前記外容器の肉厚を０．６から１．５ｍｍに形成するとともに、内容器の肉厚を０．１から０．５ｍｍに形成したものである。
請求項４に記載の発明の吐出口付き二重容器は、請求項１から請求項３のいずれか一項に記載の発明において、前記取付筒の先端面が、同取付筒の外周側へ向かうにしたがって同取付筒の基端方向へ傾斜してなるものである。
【００１０】
【発明の実施の形態】
（第１実施形態）
以下、この発明を毛染め用の櫛付き二重容器に具体化した第１実施形態を図面に基づいて詳細に説明する。
【００１１】
図１に示すように、有底円筒状をなす外容器１１は可撓性のある合成樹脂で形成され、その上部が細くされて首部１２となっている。この首部１２の外周面には雄ねじ１３が螺刻されている。外容器１１の材質は可撓性に加えて耐薬品性、成形性および強靭性に優れた合成樹脂を用いることが望ましい。
【００１２】
外容器１１を形成する材料として具体的には、高密度ポリエチレン（ＨＤＰＥ）、中密度ポリエチレン（ＭＤＰＥ）、低密度ポリエチレン（ＬＤＰＥ）、直鎖状低密度ポリエチレン（ＬＬＤＰＥ）、エチレン・酢酸ビニル共重合体けん化物（ＥＶＯＨ）、ポリアクリロニトニル、ポリエチレンテレフタレート（ＰＥＴ）、ポリプロピレン（ＰＰ）、ポリエステル、ポリ塩化ビニルおよびナイロンが挙げられる。これらの材料はいずれかを単層で、または二種以上を積層して、もしくは二種以上を混合して形成することが望ましい。
【００１３】
また、前記外容器１１の肉厚の望ましい範囲は０．６〜１．５ｍｍであり、より望ましい範囲は０．９〜１．３ｍｍであり、最適な範囲は１．０〜１．２ｍｍである。外容器１１の肉厚が０．６ｍｍより薄く形成されると外容器１１の復元力が弱くなり、肉厚が１．５ｍｍより厚く形成されると外容器１１を撓ませることが容易にできなくなり使い難い。
【００１４】
また、硬質の合成樹脂でほぼ有蓋円筒状に形成された蓋体１４の内周面には雌ねじ１５が螺刻されており、この雌ねじ１５が外容器１１の雄ねじ１３に螺合されて蓋体１４が外容器１１に取付けられている。前記蓋体１４の上部内面には取付筒１６が垂下されており、その内周面には雌ねじ１７が螺刻されている。また、前記取付筒１６より内側には環状係止片１８が垂下されている。
【００１５】
有底円筒状に形成された内容器１９には、その上部が細くされ肉厚が厚くされた首部２０が形成されている。この首部２０の外周面には雄ねじ２１が螺刻されており、この雄ねじ２１が前記取付筒１６の雌ねじ１７に螺合されて内容器１９が取付筒１６に取付けられている。すなわち、内容器１９が外容器１１の内部に設けられており、両容器１９，１１の開口が共有されている。その共有開口は蓋体１４により閉塞されている。また、前記内容器１９は外容器１１から離間されて設けられており、内容器１９と外容器１１との間に空間部２２が形成されている。
【００１６】
内容器１９を形成する材料は前述の外容器１１を形成する材料と同様の合成樹脂を用いることが望ましい。但し、内容器１９に酸化染毛剤の第１剤および第２剤、または酸性染毛料を充填する際には、前記染毛剤が内容器１９の外部に透過しない材質で内容器１９を形成する必要がある。なお、前記染毛剤の中には毛髪脱色剤も含まれる。
【００１７】
すなわち、内容器１９に酸化染毛剤の第１剤を充填する際には、内容器１９を可撓性のある合成樹脂層の間にアルミニウム層を介在させた三層以上の積層構造にする。具体的には、アルミニウム層の内側に耐アルカリ性に優れたＨＤＰＥ、ＭＤＰＥ、ＬＤＰＥまたはＬＬＤＰＥの層を形成することが望ましい。使用時には、別容器に充填された酸化染毛剤の第２剤を内容器１９に入れて混合した後、毛髪に塗布する。
【００１８】
また、内容器１９に酸化染毛剤の第２剤を充填する際には、内容器１９を耐酸性に優れた合成樹脂、例えばＰＥ（ＰＥはＨＤＰＥ、ＭＤＰＥ、ＬＤＰＥまたはＬＬＤＰＥを示す）、ＬＤＰＥ／ＨＤＰＥ（外側からＬＤＰＥ、ＨＤＰＥの順に積層されていることを示す）、ＰＥＴ／ＰＥまたはＰＥ／ＥＶＯＨ／ＰＥで形成することが望ましい。使用時には、別容器に充填された酸化染毛剤の第１剤を内容器１９に入れて混合した後、毛髪に塗布する。さらに、内容器１９に酸性染毛料を充填する際には、前記内容器１９を耐酸性に優れた合成樹脂ＨＤＰＥ、ＭＤＰＥ、ＬＤＰＥ、ＬＬＤＰＥまたはＰＰで形成することが望ましい。
【００１９】
内容器１９の肉厚の望ましい範囲は０．１〜０．５ｍｍであるが、より望ましい範囲は０．２〜０．４ｍｍであり、最適な範囲は０．２５〜０．３５ｍｍである。内容器１９の肉厚は０．１ｍｍより薄く形成されると耐薬品性、強靭性および成形性についての信頼性が無くなる。また、内容器１９の肉厚が０．５ｍｍより厚く形成されると内容器１９を充分に縮めることができなくなり、内容器１９の内部に染毛剤が残ってしまう。
【００２０】
図２に示すように、前記蓋体１４の上面中心部には上方に突出するように流出筒２３が設けられている。流出筒２３の上端には上方ほど次第に拡径されるテーパ状の嵌合凹所２４が形成され、その内底部には筒体２５が上方に突設されている。流出筒２３の中心部には蓋体１４を貫通する流出口２６が設けられている。
【００２１】
前記蓋体１４の肩部には嵌合凹部２７が形成され、第１の逆止弁２８が嵌合されている。第１の逆止弁２８の下部には下方向にのみ開く弁体２９が設けられ、外部から外容器１１と内容器１９との間の空間部２２内に空気が導入されるが、空間部２２から外部には空気が排出されないようにしている。
【００２２】
前記流出筒２３の上部に配設される連結筒３０は硬質の合成樹脂で形成されている。連結筒３０の下部には下方ほど次第に縮径されるテーパ状の嵌合突部３１が突設され、その内部には流出路３２が形成されている。この嵌合突部３１が前記流出筒２３の嵌合凹所２４に嵌入されて連結筒３０が流出筒２３に取付けられている。この状態で嵌合突部３１の下端が前記流出筒２３の筒体２５の上端に当接されており、流出路３２は流出口２６と連通されている。
【００２３】
前記連結筒３０の上端には、下方ほど次第に縮径されたテーパ状の嵌合孔３３が設けられている。嵌合孔３３の内周面の上部には環状溝３４が形成され、内底部には第２の逆止弁３５が嵌入されている。第２の逆止弁３５の下部には上方向にのみ開く弁体３６が設けられている。このため、内容器１９の内部から第２の逆止弁３５を通して外部には空気および染毛剤が吐出されるが、外部から内部には戻されない構成となっている。
【００２４】
図１および図２に示すように、前記連結筒３０の上部に配設される支持軸３７は硬質の合成樹脂で棒状に形成されており、その一側方には平面略三角形状の櫛歯３８が複数本（本実施形態では１６本）突設されている。前記支持軸３７の下部には下方ほど次第に縮径されたテーパ状の嵌合突起４０が形成され、前記連結筒３０の嵌合孔３３に嵌合されている。また、支持軸３７の内部には誘導路３９が設けられ、嵌合突起４０の内部には誘導路３９と前記連結筒３０の流出路３２とを連通する連通路４１が形成されている。
【００２５】
さらに、前記嵌合突起４０の外周面には環状突起４２が形成され、連結筒３０の環状溝３４に係合され、嵌合突起４０が連結筒３０から容易に抜け出さないようになっている。また、前記支持軸３７の最上部および最下部に設けられた櫛歯３８を除く各櫛歯３８の内部には、分岐路４３が誘導路３９に連通されて設けられている。その分岐路４３は各櫛歯３８の中央部で横Ｔ字状に形成され、櫛歯３８の両側面に開口されて吐出口４４となっている。
【００２６】
前記支持軸３７、櫛歯３８等により櫛部が構成されている。そして、前記第２の逆止弁３５から押し出された染毛剤は誘導路３９に押し出され、さらに各分岐路４３を通って吐出口４４から外部に吐出される。前記流出口２６、流出路３２、連通路４１、誘導路３９、分岐路４３および吐出口４４により吐出部が構成されている。
【００２７】
前記櫛付き二重容器の作用について以下に記載する。
さて、外容器１１を押圧すると外容器１１が内側に撓み、外容器１１と内容器１９との間の空間部２２が押圧される。このとき、第１の逆止弁２８により空間部２２から外部には空気が排出されないため空間部２２が加圧され、その空間部２２の圧力により内容器１９が押圧されて縮められる。その結果、内容器１９の内部に充填された染毛剤が流出口２６、流出路３２、第２の逆止弁３５、連通路４１、誘導路３９、分岐路４３と順次押し出されて吐出口４４から吐出される。
【００２８】
次に、前記外容器１１の押圧を止めれば外容器１１が復元しようとして空間部２２が減圧される。その結果、第１の逆止弁２８が開かれ、外部から空間部２２に空気が導入される。このとき同時に、空間部２２の負圧により内容器１９の周壁がその外方に引っ張られて内容器１９の内部が減圧される。このため、第２の逆止弁３５が閉じられ、空気および一旦吐出された染毛剤が内容器１９の内部に戻されない。
【００２９】
その結果、内容器１９は縮められた状態が保持され、空間部２２は負圧が保持される。このため、第１の逆止弁２８は開かれた状態が保持され、外部から空間部２２に空気が導入されて外容器１１が復元される。すなわち、染毛剤が空気に触れにくく、かつ外容器１１の外観形態が損なわれない。前述の一連の動作を繰り返せば内容器１９をその都度縮め続けることができる。従って、内容器１９を内部空間がほとんど無い状態にまで縮めることができる。
【００３０】
前記内容器１９の内容物が無くなった際には、一方の手で蓋体１４を把持して他方の手で前記外容器１１を回し、外容器１１の雄ねじ１３を蓋体１４の雌ねじ１５から螺退させる。そして、図３に示すように、内容器１９が蓋体１４に取付けられた状態で外容器１１を蓋体１４から取外す。
【００３１】
続いて、一方の手で蓋体１４を把持して他方の手で内容器１９を回し、内容器１９の雄ねじ２１を蓋体１４の取付筒１６の雌ねじ１７から螺退させて、内容器１９を蓋体１４から取外す。その後、一方の手で蓋体１４を、他方の手で染毛剤が充填された新しい内容器１９を把持し、蓋体１４の取付筒１６に内容器１９の首部２０先端を押し当てて回し、内容器１９の雄ねじ２１を取付筒１６の雌ねじ１７に螺合させる。
【００３２】
このようにして、蓋体１４に新しい内容器１９を取付けることができる。その後、一方の手で蓋体１４を、他方の手で外容器１１を把持し、蓋体１４の内周面に外容器１１の首部１２先端を押し当てて回し、外容器１１の雄ねじ１３を蓋体１４の雌ねじ１５に螺合させる。すなわち、蓋体１４に外容器１１を取付けることができる。そして、前述のようにして外容器１１を押圧すれば染毛剤が吐出口４４から吐出される。
【００３３】
前記の櫛付き二重容器によって発揮される効果について、以下に記載する。
・  外容器１１と内容器１９とが分離可能に構成されている。このため、従来の技術では一体形成された内容器１９と外容器１１とを一体として付け替えていたのに対し、少なくとも外容器１１を再利用することができる。
【００３４】
・  外容器１１および内容器１９のそれぞれが蓋体１４に対して螺合関係により着脱可能に構成されている。このため、外容器１１の内部に内容器１９を容易に装着することができる。
【００３５】
・  外容器１１と内容器１９とが離間されて設けられており、両容器１１，１９間に空間部２２が形成されている。そのため、この空間部２２の圧力を利用して内容物を容易に吐出することができる。
【００３６】
・  外容器１１の肉厚が０．６から１．５ｍｍで形成されるとともに、内容器１９の肉厚が０．１から０．５ｍｍで形成されている。従って、外容器１１が適度な可撓性および復元力を有し、内容器１９が適度な強靭性を有し、かつ充分に縮められる性能を発揮することができる。このため、内容器１９の内容物を容易に吐出することができる。
【００３７】
（第２実施形態）
以下、第２実施形態を前記第１実施形態と異なる点を中心に説明する。
図４（ａ），（ｂ）に示すように、取付筒１６と蓋体１４とが別部材で構成されている。蓋体１４の上面の中心部より周縁側には流出筒２３が形成されている。また、嵌合凹部２７は前記蓋体１４の上面中心部に設けられており、第１の逆止弁２８が嵌合されている。前記流出筒２３内の流出口２６下部は拡径されて拡径孔４５となっている。
【００３８】
この拡径孔４５の上端部には上方ほど次第に縮径されるテーパ状の環状係止凹部４６が形成されている。前記流出筒２３の下部に配設される取付筒１６は硬質の合成樹脂で形成され、その外周面の上端には前記流出筒２３の環状係止凹部４６と対応するように上方ほど縮径されるテーパ状の環状係止凸部４７が形成されている。
【００３９】
この環状係止凸部４７が流出筒２３の環状係止凹部４６に係合され、流出筒２３から取付筒１６が容易に抜け出さないようになっている。さらに、取付筒１６の内部がクランク状の吐出路４８とされ、流出筒２３の流出口２６と連通されている。前記取付筒１６の中間部の一側は段差状に形成され、その下部は外径および内径が拡径されている。
【００４０】
さて、流出筒２３の拡径孔４５に取付筒１６の上部を下方から挿入すると、流出筒２３の環状係止凹部４６に環状係止凸部４７が係合されて流出筒２３内に取付筒１６が取付けられる。このとき、取付筒１６内に形成された吐出路４８が流出筒２３の流出口２６に連通される。
【００４１】
従って、本実施形態の櫛付き二重容器では、取付筒１６と蓋体１４とが別部材で構成されており、取付筒１６および蓋体１４を簡単な構造にでき、容易に型成形することができる。また、流出筒２３の拡径孔４５の上端には環状係止凹部４６が、取付筒１６の上端には環状係止凸部４７が形成されており、流出筒２３の下部に取付筒１６の上部を挿入すれば流出筒２３内に取付筒１６を取付けることができる。このため、取付筒１６を蓋体１４に簡単に組み付けることができる。
【００４２】
なお、この発明は、次のように変更して具体化することも可能である。
・  実施形態の吐出口付き二重容器において、櫛部を省略して吐出口をノズル形状に形成してもよい。このように形成すれば、例えばマヨネーズ、ケチャップおよびドレッシング等の液体または練体（流動体）の調味料の容器として利用することができる。また、前記吐出口を閉塞するキャップを設けてもよい。このように形成すれば、不使用時には吐出口を閉塞でき、内容物を清潔に保つことができる。さらに、内容物は液体または練体であれば何でもよく、本発明の趣旨を逸脱しない範囲で変更して具体化できる。
【００４３】
・  図５に示すように、内容器１９を上端にフランジ４９を設けた有底円筒状に形成してもよい。この場合、前記取付筒１６はその外周面と蓋体１４の内周面との隙間が前記フランジ４９の幅になるように、蓋体１４の上部内面の外周方向に寄せて形成される。また、蓋体１４の環状係止片１８および取付筒１６の雌ねじ１７は形成されず、第１の逆止弁２８は外容器１１の底面に設けられる。
【００４４】
そして、内容器１９の内容物が無くなった際には、先ず外容器１１の雄ねじ１３を蓋体１４の雌ねじ１５から螺退させて、外容器１１および内容器１９を蓋体１４から取外す。その後、一方の手で内容器１９のフランジ４９を把持し、他方の手で外容器１１を把持して外容器１１内から内容器１９を引き抜く。このようにして内容器１９を外容器１１から取外す。
【００４５】
その後、一方の手で染毛剤が充填された新しい内容器１９を把持してその下部を外容器１１上方から挿入し、前記内容器１９のフランジ４９下面を外容器１１の首部１２の上端面に支持させて、内容器１９を外容器１１内に取付ける。次いで、一方の手で蓋体１４を、他方の手で外容器１１を把持し、蓋体１４の内周面に内容器１９のフランジ４９および外容器１１の首部１２の先端を押し当てて回し、外容器１１の雄ねじ１３を蓋体１４の雌ねじ１５に螺合させる。
【００４６】
その結果、内容器１９はそのフランジ４９が外容器１１の首部１２の上端面と蓋体１４の肩部内面との間で挟持され、固定される。このようにして外容器１１および内容器１９が蓋体１４に取付けられる。そして、外容器１１を押圧すれば染毛剤が吐出口４４から吐出される。従って、蓋体１４の環状係止片１８、取付筒１６の雌ねじ１７および内容器１９の雄ねじ２１を省略できる。このため、蓋体１４および内容器１９を簡単な構造にでき、容易に型成形することができる。
【００４７】
・  実施形態において、内容器１９を蓋体１４から分離し、その内容器１９内に染毛剤を補充するように構成してもよい。このように構成した場合、外容器１１に加えて内容器１９をも再利用できる。
【００４８】
・  実施形態の吐出口付き二重容器では、内容器１９に内容物として染毛剤を充填したが、内容器１９に例えば、液体整髪料、整髪ジェル、トリートメント剤およびパーマ剤等の液体およびゲル状体の整髪料または頭髪用化粧品を充填してもよい。このように構成すれば、手を汚すことなく整髪料または頭髪用化粧品を毛髪に塗布できる。
【００４９】
・  実施形態の吐出口付き二重容器では、環状係止片１８を蓋体１４の上部内面に垂下して設けているが、環状係止片１８を省略して、蓋体１４の上部内面にパッキンを設けてもよい。このように構成した場合、蓋体１４の取付筒１６の雌ねじ１７に内容器１９の雄ねじ２１を螺合すれば、蓋体１４の上部内面と前記首部２０の上端との間で前記パッキンが挟持され内容器１９と外容器１１との間の密閉を保つことができる。
【００５０】
さらに、前記実施形態より把握できる技術的思想について以下に記載する。
（１）  前記蓋体内に取付筒を延出し、その取付筒に対して内容器を着脱可能に構成した吐出口付き二重容器。このように構成した場合、蓋体を簡単な構造にすることができ、容易に成形することができる。
【００５１】
（２）  前記蓋体を合成樹脂により一体成形可能に構成した吐出口付き二重容器。このように構成した場合、蓋体を簡単な構造にして、容易に製造することができる。
【００５２】
【発明の効果】
以上詳述したように、この発明によれば、次のような効果を奏する。
請求項１及び請求項４に記載の発明の吐出口付き二重容器によれば、内容器の内容物を容易に吐出できるとともに、少なくとも外容器を再利用することができる。
【００５３】
請求項２に記載の発明の吐出口付き二重容器によれば、請求項１に記載の発明の効果に加えて、外容器の内部に内容器を容易に装着することができる。
請求項３に記載の発明の吐出口付き二重容器によれば、請求項１または請求項２に記載の発明の効果に加えて、内容器と外容器との間に形成された空間部の圧力を利用して内容物を容易に吐出することができる。
【００５４】
また、外容器の外観形態を保持することができ、かつ内容器に充填された内容物を無駄なく吐出することができる。
【図面の簡単な説明】
【図１】  第１実施形態の櫛付き二重容器を示す要部破断正面図。
【図２】  同じく、要部を破断した部分拡大正面図。
【図３】  同じく、外容器を取外した状態を示す要部破断正面図。
【図４】  （ａ）は第２実施形態の櫛付き二重容器を示す要部破断正面図、（ｂ）は同じく、要部を破断した部分拡大正面図。
【図５】  別例の櫛付き二重容器を示す要部破断正面図。
【符号の説明】
１１…外容器、１４…蓋体、１９…内容器、２２…空間部、４４…吐出口。
【図１】
0004065625.tif 000002
【図２】
0004065625.tif 000003
【図３】
0004065625.tif 000004
【図４】
0004065625.tif 000005
【図５】
0004065625.tif 000006